(57)【特許請求の範囲】
【請求項１】
建物の床工事に用いられる仮設材において、
床スラブ面における二重床支持脚の配置位置に設けられ、前記支持脚が前記床スラブと対向する面と少なくとも同じ裏面を有し、断熱材が床スラブに施工される前に床スラブの表面に固定されることを特徴とする二重床支持脚施工用仮設材。
【請求項２】
請求項１に記載の二重床支持脚施工用仮設材であって、前記床スラブに施工される断熱材の厚みと少なくとも同じ厚みを外周面に有し、床スラブに施工される断熱材の厚みを表示するスペーサーとして使用されることを特徴とする二重床支持脚施工用仮設材。
【請求項３】
請求項１又は２に記載の二重床支持脚施工用仮設材であって、少なくとも外周面には、施工される断熱材と接触する剥離シートが巻き付かれることを特徴とする二重床支持脚施工用仮設材。
【請求項４】
請求項１乃至３のいずれか１項に記載の二重床支持脚施工用仮設材であって、断面内に設けられた孔に挿入された締結具により床スラブに固定されることを特徴とする二重床支持脚施工用仮設材。
【請求項５】
請求項１乃至３のいずれか１項に記載の二重床支持脚施工用仮設材であって、床スラブと対向する面に貼付された両面テープにより床スラブに固定されることを特徴とする二重床支持脚施工用仮設材。
【請求項６】
建物の床スラブにおいて、
二重床の支持脚が設置される箇所に二重床支持脚施工用仮設材を配置して床スラブに固定するステップと、
前記仮設材をスペーサーとして床スラブに断熱材を施工するステップと、
前記仮設材を床スラブから除去するステップと、
前記仮設材が除去された箇所に前記支持脚を設置するステップと、
を備えることを特徴とする前記仮設材を用いた二重床支持脚施工法。
【請求項７】
請求項６に記載の二重床支持脚施工法であって、前記仮設材を床スラブに固定する前に、少なくとも前記仮設材の外周面に剥離シートを巻き付けるステップを備えることを特徴とする二重床支持脚施工法。
【請求項８】
請求項６又は７に記載の二重床支持脚施工法であって、前記仮設材を床スラブに固定するステップは、前記仮設材の断面に設けられた孔に締結具を挿入して床スラブに固定することを特徴とする二重床支持脚施工法。
【請求項９】
請求項６又は７に記載の二重床支持脚施工法であって、前記仮設材を床スラブに固定するステップは、床スラブと対向する面に貼付された両面テープにて前記仮設材を床スラブに固定することを特徴とする二重床支持脚施工法。
【発明の詳細な説明】
【技術分野】
【０００１】
本発明は、二重床支持脚施工用仮設材、及び二重床支持脚施工法に係り、特に、建物の床工事に用いる二重床の支持脚を施工する際に用いる二重床支持脚施工用仮設材、及びこの二重床支持脚施工用仮設材を用いた二重床支持脚施工法に関する。
【背景技術】
【０００２】
建物の床工事として二重床工法が普及している。二重床とは、ＯＡフロア、或いはフリーアクセスフロアとも称され、床スラブなどの躯体の上にフローリングなどを敷設する場合に床スラブなどの躯体にフローリングなどの束となる支持脚を設置して二重の床構造とし、防振・遮音・断熱（防寒）などを目的として床板の間に空間をつくる工法である。
【０００３】
図５に、建物の床スラブ４の上に二重床２を施工する場合の構成の一つの実施例を示す。床スラブ４には、所定の位置である支持脚設置ポイント（Ｐ）に支持脚３や補強脚２５が設置され、その上に補強部リブ材２３、パーティクルボード２２、合板２１などが敷設され、最後に床表面を構成するフローリング２０が敷設されて床工事が完了する。
【０００４】
図５に示すように、この二重床には断熱材５が施工される場合がある。すなわち、建物の重要な居住性能の一つとして断熱性能があり、建物の外壁、屋根、天井などに断熱材を施工することで建物の断熱性能を高める工法が普及している。建物の床も断熱工法の対象となり、特に、外壁の断熱材を床下まで延長して施工する工法が普及しつつある。図５に示すように、この断熱材５はコンクリート製の床スラブ４上に施工され、例えば、断熱材５の一種であるウレタンフォームを現場で発泡させながら床スラブ４に吹き付ける工法が一般的である。
【０００５】
従来、建物の床工事として二重床２が設置される場合には、既に床スラブ４に施工された断熱材５のうち支持脚３が設置される箇所の断熱材５を除去したうえで支持脚３及び他の床材を設置していた。すなわち、床スラブ４に施工された断熱材５上に支持脚３が配置される箇所に墨出しを行い、支持脚３が床スラブ４に対向する裏面を含む範囲の断熱材５を除去する作業を行い、その後、除去された箇所に支持脚３を設置し、その上に二重床２の各床材を施工するのが一般的であった。なお、本発明において「支持脚３」とは、フローリング２０を設ける上で必要となる床スラブ４上に接触する支持部をいい、例えば補強脚２５なども含まれる。
【０００６】
また、建設工事では各種の仮設材が用いられるが、その仮設材の一種として、所定の間隔を保持するための「スペーサー」がある。このスペーサーは、例えば、コンクリートを打設する際に鉄筋やＰＣ鋼棒と型枠との間に差し込まれる小さな部品であり、プラスティック製のドーナッツ、或いはコンクリート製のサイコロブロックなどがある。このスペーサーにより、それらの間隔を埋めるコンクリートの厚みを設計図通りに保持することができる。但し、これらのスペーサーはコンクリートの打設と共に埋め込まれ、再使用はされない。
【０００７】
特許文献１には、石貼り床構造及びその施工方法が開示されている。ここでは、コンクリートスラブ上に空間を介して上部床を支持し、該上部床に捨て貼り石層を設ける形式のであって、防振システムネダと支持脚とによって支持されるパーティクルボードと、該パーティクルボードの上に積層される合板層と、該合板上に固定される捨て貼り石板及び捨て貼り合板からなる捨て貼り石層と、更にその上に固定されるフローリングとからなることが記載されている。
【先行技術文献】
【特許文献】
【０００８】
【特許文献１】特許第３８２１４８０号公報
【発明の概要】
【発明が解決しようとする課題】
【０００９】
建物の床スラブ上に断熱材を施工した後、二重床の支持脚を設置してフローリングなどの床工事を行う場合、上述したように、支持脚を配置する部分の断熱材を除去して支持脚を設置するのが一般的であった。このため、既に施工された断熱材が無駄となり、また断熱材を除去する手間がかかるという施工上の問題があった。さらに、断熱材の施工業者と床工事の施工業者が異なるのが一般的であり、施工手順や施工品質の点で施工業者間でのトラブルが発生する虞があった。
【００１０】
また、近年、建物の断熱性能を確保することの重要性が増してきている。しかし、床断熱床スラブに敷設される断熱材の厚みを正確に施工することは難しく、また、床工事の施工後に厚みを点検することが困難であるという問題があった。
【００１１】
本願の目的は、かかる課題を解決し、建物の床工事の施工性を改善し、高品質の床工事を実現する二重床支持脚施工用仮設材及び二重床支持脚施工法を提供することである。
【課題を解決するための手段】
【００１２】
上記目的を達成するため、本発明に係る二重床支持脚施工用仮設材は、建物の床工事に用いられる仮設材において、床スラブ面における二重床支持脚の配置位置に設けられ、前記支持脚が前記床スラブと対向する面と少なくとも同じ裏面を有し、断熱材が床スラブに施工される前に床スラブの表面に固定されることを特徴とする。
【００１３】
上記構成により、二重床支持脚施工用仮設材は、建物の床工事において、断熱材が床スラブに施工される際に、床工事に用いられる二重床の支持脚が前記床スラブと対向する面と少なくとも同じ断面を覆う。これにより、断熱材が床スラブに施工される際には、二重床支持脚が配置される箇所は断熱材が除去された状態となり、二重床支持脚を直接床スラブに設置することができる。すなわち、断熱材を無駄なく使用することができ、また断熱材を除去する手間を省略できる。さらに、断熱材の施工業者と床工事の施工業者間での施工手順や施工品質の点でのトラブルを未然に防ぐことができる。
【００１４】
また、二重床支持脚施工用仮設材は、前記床スラブに施工される断熱材の厚みと少なくとも同じ厚みを外周面に有し、床スラブに施工される断熱材の厚みを表示するスペーサーとして使用されることが好ましい。これにより、断熱材を施工する際に二重床支持脚施工用仮設材を定規としてその厚みを管理することができる。また、断熱材の施工厚さを証明することができ、床断熱性能の規定値を容易に確保することができる。
【００１５】
また、二重床支持脚施工用仮設材は、少なくとも外周面には、施工される断熱材と接触する剥離シートが巻き付かれることが好ましい。これにより、断熱材が付着した剥離シートをそのまま使い捨てることで、使用後の二重床支持脚施工用仮設材を再使用する際に、外周面に付着した断熱材を清掃する手間が省略できる。
【００１６】
また、二重床支持脚施工用仮設材は、断面内に設けられた孔に挿入された締結具により床スラブに固定されるか、又は床スラブと対向する面に貼付された両面テープにより床スラブに固定されることが好ましい。これにより、床スラブに断熱材を施工する際に二重床支持脚施工用仮設材を床スラブに確実に固定させることができる。
【００１７】
上記目的を達成するため、本発明に係る二重床支持脚施工法は、建物の床スラブにおいて、二重床の支持脚が設置される箇所に二重床支持脚施工用仮設材を配置して床スラブに固定するステップと、前記仮設材をスペーサーとして床スラブに断熱材を施工するステップと、前記仮設材を床スラブから除去するステップと、前記仮設材が除去された箇所に前記支持脚を設置するステップと、を備えることを特徴とする。
【００１８】
上記構成により、二重床支持脚施工法は、建物の床工事において、断熱材が床スラブに施工される際に、床工事に用いられる二重床の支持脚が前記床スラブと対向する面と少なくとも同じ断面を覆う。これにより、断熱材が床スラブに施工される際には、二重床支持脚が配置される箇所は断熱材が除去された状態となり、二重床支持脚を直接床スラブに設置することができる。すなわち、断熱材を無駄なく使用することができ、また断熱材を除去する手間を省略できる。さらに、断熱材の施工業者と床工事の施工業者間での施工手順や施工品質の点でのトラブルを未然に防ぐことができる。
【００１９】
また、二重床支持脚施工法は、前記仮設材を床スラブに固定する前に、少なくとも前記仮設材の外周面に剥離シートを巻き付けるステップを備えることが好ましい。これにより、断熱材が付着した剥離シートをそのまま使い捨てることで、使用後の二重床支持脚施工用仮設材を再使用する際に、外周面に付着した断熱材を清掃する手間が省略できる。
【００２０】
さらに、二重床支持脚施工法は、前記仮設材を床スラブに固定するステップが、前記仮設材の断面に設けられた孔に締結具を挿入して床スラブに固定するか、又は前記仮設材を床スラブに固定するステップは、床スラブと対向する面に貼付された両面テープにて前記仮設材を床スラブに固定することが好ましい。これにより、床スラブに断熱材を施工する際に二重床支持脚施工用仮設材を床スラブに確実に固定させることができる。
【発明の効果】
【００２１】
以上のように、本発明に係る二重床支持脚施工用仮設材、及び二重床支持脚施工法によれば、建物の床工事の施工性を改善し、高品質の床工事を実現する二重床支持脚施工用仮設材及び二重床支持脚施工法を提供することができる。
【図面の簡単な説明】
【００２２】
【図１】本発明に係る二重床支持脚施工用仮設材の１つの実施形態の概略構成を示す説明図である。
【図２】剥離シートが設けられた二重床支持脚施工用仮設材を示す斜視図及び断面図である。
【図３】締結具により二重床支持脚施工用仮設材を床スラブへ固定する方法を示す斜視図及び断面図である。
【図４】両面テープにより二重床支持脚施工用仮設材を床スラブへ固定する方法を示す斜視図及び断面図である。
【図５】建物の床スラブの上に二重床を施工する場合の構成の一つの実施例を示す断面図である。
【図６】本発明に係る二重床支持脚施工法のステップを示すフロー図である。
【発明を実施するための形態】
【００２３】
（二重床支持脚施工用仮設材）
まず、本発明に係る二重床支持脚施工用仮設材１の実施形態につき、図面を用いて詳細に説明する。図１に、本発明に係る二重床支持脚施工用仮設材１の１つの実施形態の概略構成を断面で示す。図１（ａ）は、二重床２の支持脚３が設置される建物の床スラブ４上に設定される支持脚設置ポイント（Ｐ）に、二重床支持脚施工用仮設材１が配置された状態を示す。また、図１（ｂ）は、二重床支持脚施工用仮設材１が配置された図１（ａ）の状態の床スラブ４に断熱材５が施工された状態を示す。また、図１（ｃ）は、床スラブ４に断熱材５が施工された図１（ｂ）の状態から二重床支持脚施工用仮設材１を取り去った状態を示す。さらに、図１（ｄ）は、図１（ｃ）の二重床支持脚施工用仮設材１を取り去った状態に二重床２の支持脚３及びそれに積載される床材２３，２２，２１，２０を設置した状態を示す。
【００２４】
図１に示される二重床支持脚施工用仮設材１は、建物の床工事に用いられる仮設材の一種であり、床スラブ４に断熱材５が施工される前に二重床２の支持脚３が配置される箇所（Ｐ）に設置されることで、二重床２の支持脚３を床スラブ４に直接設置することができるという役割を有する。また、二重床支持脚施工用仮設材１は、床スラブ４に施工される断熱材５の厚み（ｗ）の定規となるという役割も有する。なお、二重床２の支持脚３が設置される支持脚設置ポイント（Ｐ）は、二重床２に関する設計図又は施工図から配置が割り出される。
【００２５】
このため、二重床支持脚施工用仮設材１は、支持脚３が床スラブ４と対向する面と少なくともほぼ同じ裏面８を有する。つまり、仮設材１は、断熱材５が床スラブ４に施工される前に表面７から挿入された締結具１１により床スラブ４に固定され、断熱材５の床スラブ４への施工後に除去され、その仮設材１が設置された箇所に支持脚３が設置される。従って、仮設材１は、支持脚３が床スラブ４と対向する面とほぼ同一断面か、又は多少大きめの裏面８を有さなければならない。本実施形態では、この二重床支持脚施工用仮設材１は円形断面とするが、他の断面形状、例えば、多角形、楕円形などであっても良い。また、本実施形態では、この二重床支持脚施工用仮設材１は、プラスティック製とするが、他の材料、例えば木製、コンクリート製などであっても良い。
【００２６】
二重床支持脚施工用仮設材１は、床スラブ４に施工される断熱材５の厚みと少なくとも同じ厚みを外周面６に有し、床スラブ４に施工される断熱材５の厚みを表示するスペーサーを兼ねる。すなわち、仮設材１は、床スラブ４に施工される断熱材５の厚み（ｗ）以上の高さ（ｄ）を外周面６に有する。ここで、仮設材１の高さ（ｄ）を断熱材５の厚み（ｗ）以上としたのは、仮設材１が断熱材５により埋もれることがなく見つけ易いように、仮設材１を断熱材５の施工面から多少飛び出すように設定したものである。この仮設材１は床スラブ４に所定の間隔で配置されているため、断熱材５の施行者はこの仮設材１を定規にして断熱材５を所定の厚みに吹き付けることができる。これにより、断熱材５の断熱材５の施工厚さ（ｗ）を管理して証明することができ、床断熱性能の規定値を容易に確保することができる。
【００２７】
図２に示すように、二重床支持脚施工用仮設材１は、外周面６に断熱材５との間に設けられる剥離シート９を備えても良い。この剥離シート９は、仮設材１の外周面６に巻き付けられるだけではなく裏面８にも取付けられても良い。これらの処置により、断熱材５が付着した剥離シート９をそのまま使い捨てることで、使用後の仮設材１を再使用する際に、外周面６又は裏面８に付着した断熱材５を清掃する手間が省略できる。
【００２８】
図３に示すように、本実施形態では二重床支持脚施工用仮設材１は、断面内に設けられた締結具用孔１０に表面７から挿入された締結具１１により床スラブ４に固定される。本実施形態では、この締結具１１はコンクリートくぎとするが、他の締結具、例えばコンクリート用ビスなどでも良い。また、図４に示すように、床スラブ４と対向する面に貼付された両面テープ１２により床スラブ４に固定されても良い。さらには、二重床支持脚施工用仮設材１は、他の方法、例えば接着剤により床スラブ４に固定する方法などであっても良い。これらの処置より、床スラブ４に断熱材５を施工する際に仮設材１を床スラブ４に確実に固定させることができる。一方、これらの処置が十分でなく断熱材５の施工時に仮設材１が移動したりするとそれを補修するのに手間がかかる。また、仮設材１は、あまり強固に床スラブ４に固定されると除去するのに手間がかかる。
【００２９】
（二重床支持脚施工法）
本発明に係る二重床支持脚施工方法の実施形態につき、図面を用いて詳細に説明する。
すなわち、本発明に係る二重床支持脚施工方法を図１（ａ）〜図１（ｄ）に示す。また、図６に、本発明に係る二重床支持脚施工方法の各ステップ（Ｓ１〜Ｓ５）をフロー図で示す。
【００３０】
まず、図１（ａ）に示すように、建物の床スラブ４において二重床２の支持脚３が設置される支持脚設置ポイント（Ｐ）を墨出しして、そのポイント（Ｐ）に二重床支持脚施工用仮設材１を配置し、その位置で床スラブ４に固定する（Ｓ１）。この固定は、本実施形態では、仮設材１の断面に設けられた締結具用孔１０に締結具１１を打ち込んで床スラブ４に固定する。本実施形態では、この締結具１１はコンクリートくぎとするが、他の締結具、例えばコンクリート用ビスなどでも良い。このコンクリートくぎによる固定は、次のステップにおいて断熱材５が施工される際に仮設材１の位置がずれない程度であれば良い。二重床２の支持脚３が設置される支持脚設置ポイント（Ｐ）は、二重床２に関する設計図又は施工図から配置が割り出される。
【００３１】
次に、全ての仮設材１を配置して固定したか否かを確認する（Ｓ２）。この仮設材１を配置していない箇所があると、断熱材５の施工後にその箇所の断熱材５を除去しなければならず手間がかかる。また、この仮設材１を床スラブ４に固定していない箇所があると、断熱材５の施工時に仮設材１が移動してしまい、修正するのに手間がかかる。全ての仮設材１を配置して固定したことが確認できた場合にはステップ３に進み、確認できなかった場合にはステップ１に戻る。
【００３２】
そして、図１（ｂ）に示すように、仮設材１をスペーサーとして床スラブ４に断熱材５を施工する（Ｓ３）。すなわち、仮設材１は、床スラブ４に施工される断熱材５の厚み（ｗ）以上の高さ（ｄ）を外周面６に有する。ここで、仮設材１の高さ（ｄ）を断熱材５の厚み（ｗ）以上としたのは、仮設材１が断熱材５により埋もれることがなく見つけ易いように、仮設材１を断熱材５の施工面から多少飛び出すように設定したものである。この仮設材１は床スラブ４に所定の間隔で配置されているため、断熱材５の施行者はこの仮設材１を定規にして断熱材５を吹き付けることができる。これにより、断熱材５の断熱材５の施工厚さ（ｗ）を管理して証明することができ、床断熱性能の規定値を容易に確保することができる。
【００３３】
次に、図１（ｃ）に示すように、断熱材５の施工後に仮設材１を床スラブ４から除去する（Ｓ４）。すなわち、締結具用孔１０に打ち込まれた締結具１１を引き抜くことで、仮設材１を床スラブ４から除去することができる。これにより、二重床２の支持脚３が配置される箇所（Ｐ）は断熱材５が除去された状態となり、二重床２の支持脚３を直接床スラブ４に設置することができる。
【００３４】
そして、図１（ｄ）に示すように、仮設材１が除去された箇所に支持脚３を設置する（Ｓ５）。そして、この支持脚３に更に補強部リブ材２３、パーティクルボード２２、合板２１、及びフローリング２０を積載して床工事を完成させることができる。これにより、断熱材５を無駄なく使用することができ、また断熱材５を除去する手間を省略できる。さらに、断熱材５の施工業者と床工事の施工業者間での施工手順や施工品質の点でのトラブルを未然に防ぐことができる。
【００３５】
図６に示すように、本発明に係る二重床支持脚施工方法は、仮設材１を床スラブ４に固定するステップ（Ｓ１）の前に、図２に示すように、少なくとも仮設材１の外周面６に剥離シート９を巻き付けるステップ（Ｓ１´）を備えても良い。これにより、断熱材５が付着した剥離シート９をそのまま使い捨てることで、使用後の仮設材１を再使用する際に、外周面６に付着した断熱材５を清掃する手間が省略できる。
【００３６】
図３に示すように、本実施形態では、仮設材１を床スラブ４に固定するステップ（Ｓ１）は、仮設材１の断面に設けられた締結具用孔１０に締結具１１を挿入して床スラブ４に固定するが、図４に示すように、仮設材１を両面テープ１２にて床スラブ４に固定しても良い。これらの処置より、床スラブ４に断熱材５を施工する際に仮設材１を床スラブ４に確実に固定させることができる。
【符号の説明】
【００３７】
１  （二重床支持脚施工用）仮設材、２  二重床、３  支持脚、４  床スラブ、５  断熱材、６  外周面、７  表面、８  裏面、９  剥離シート、１０  締結具用孔、１１  締結具、１２  両面テープ、２０  フローリング、２１  合板、２２  パーティクルボード、２３  補強部リブ材、２４  壁材、２５  補強脚、ｄ  仮設材の高さ、Ｐ  支持脚設置ポイント、Ｓ  仮設材の断面積、ｗ  断熱材の厚み。
【図１】
0005878775.tif 000002
【図２】
0005878775.tif 000003
【図３】
0005878775.tif 000004
【図４】
0005878775.tif 000005
【図５】
0005878775.tif 000006
【図６】
0005878775.tif 000007